(57)【要約】【課題】交通機関の移動体内の座席の居住性およびメンテナンス性を損なうことなく、利用者にとって扱いやすい形態の情報表示装置を提供する。【解決手段】移動体内に設置された座席（１）と、支柱（４）を介して固定されたテーブルであり、座席（１）と支柱（４）および支柱（４）とテーブルの天板（２）の接合部にヒンジ機構を有する事で格納及び展開が可能なテーブルにおいて、展開時に床面と対向する天板の裏面に電気的に表示内容を書き換える事が可能な情報表示機を有し、テーブル格納時に情報表示機の画面（３）が該テーブルの格納された座席の後ろの座席に座った移動体利用者に対向することで、移動体利用者に対して画像情報を提供する事を可能とした、移動体内に設置された情報表示機付き格納及び展開が可能なテーブル。【選択図】図１
2014172557.tif 000002
【特許請求の範囲】
【請求項１】
移動体内に設置された座席と、支柱を介して固定されたテーブルであり、座席と支柱および支柱とテーブルの天板の接合部にヒンジ機構を有する事で格納及び展開が可能なテーブルにおいて、展開時に床面と対向する天板の裏面に電気的に表示内容を書き換える事が可能な情報表示機を有し、テーブル格納時に情報表示機の画面が該テーブルの格納された座席の後ろの座席に座った移動体利用者に対向することで、移動体利用者に対して画像情報を提供する事を可能とした、移動体内に設置された情報表示機付き格納及び展開が可能なテーブル。
【請求項２】
移動体内に設置された座席と、支柱を介して固定されたテーブルであり、座席と支柱および支柱とテーブルの天板の接合部にヒンジ機構を有する事で格納及び展開が可能なテーブルにおいて、展開時に床面と対向する天板の裏面に電気的に表示内容を書き換える事が可能な情報表示機を有し、前記天板が前記情報表示機の筐体を嵌め込むことができる段差を有し、前記天板の前記情報表示機の筐体と接する段差部の側面と前記情報表示機の筐体の側面とをヒンジ機構によって接合した事により、テーブル展開時に前記筐体の側面のヒンジ機構を回転軸として前記情報表示機の筐体を回転展開し、該テーブルの固定された座席の後ろの座席に座った移動体利用者に前記情報表示機の画面を対向することで、移動体利用者に対して画像情報を提供する事を可能とした、移動体内に設置された情報表示機付き格納及び展開が可能なテーブル。
【請求項３】
移動体内に設置された座席と、支柱を介して固定されたテーブルであり、座席と支柱および支柱とテーブルの天板の接合部にヒンジ機構を有する事で格納及び展開が可能なテーブルにおいて、前記天板が前記情報表示機の筐体を格納できる窪みを有し、前記天板の前記情報表示機の筐体と接する窪みの側面と前記情報表示機の筐体の側面とをスライド機構とヒンジ機構によって接合した事により、テーブル展開時に天板内から前記筐体を引き出し回転展開する事で、該テーブルの固定された座席の後ろの座席に座った移動体利用者に前記情報表示機の画面を対向させ、テーブルの物載機能を保持したまま移動体利用者に対して画像情報を提供する事を可能とした、移動体内に設置された情報表示機付き格納及び展開が可能なテーブル。
【請求項４】
前記情報表示機が電気泳動表示体による反射型表示装置である事を特徴とする請求項１から３のいずれかに記載の移動体内に設置された情報表示機付き格納及び展開が可能なテーブル。
【請求項５】
前記電気泳動表示体がマイクロカプセル型電気泳動表示体である事を特徴とする請求項４に記載の移動体内に設置された情報表示機付き格納及び展開が可能なテーブル。
【請求項６】
前記情報表示機が反射型液晶表示体による反射型表示装置である事を特徴とする請求項１から３のいずれかに記載の移動体内に設置された情報表示機付き格納及び展開が可能なテーブル。
【発明の詳細な説明】
【技術分野】
【０００１】
本発明は、移動体内に設置された格納及び展開が可能なテーブルに関し、特にテーブル天板の裏面、すなわちテーブル展開時に床面と対向する面に電気的に情報が書き換え可能な情報表示機を有する事により、テーブル格納時に情報表示機の画面を移動体の座席に座った利用者と対向させる事で、移動体利用者に対して画像情報の提供を可能とした、移動体内の座席ごとに設置された情報表示機付き格納及び展開が可能なテーブルに関する。
【背景技術】
【０００２】
交通機関の指定席は、そのサービスの特徴により、乗車車両と座席番号の情報から座席予約者の利用日時、乗降駅、乗車区間などの既定された情報を入手できる。また、指定席予約時に性別や年齢などの情報を入手すれば座席予約者の人物像をより詳細に得る事ができ、様々な情報サービス（降車駅の天気予報、観光案内、施設案内、乗り換え情報、遅延情報等）を提供する事ができる。
【０００３】
特許文献１には、座席の予約情報を利用して、利用者に有効な情報を利用者ごとに効率よく提供することが可能な、移動体内情報表示システムが開示されている。
【先行技術文献】
【特許文献】
【０００４】
【特許文献１】特許第４８６０２８１号公報
【発明の概要】
【発明が解決しようとする課題】
【０００５】
前記特許文献１では、座席の予約情報を利用して到着目的地に合わせた広告などのコンテンツを座席ごとに配置した表示装置に表示するシステムについて詳細に説明してあるが、表示装置の構造やどのように座席ごとに表示装置を設置するかなどの具体的な記載はなされていない。
【０００６】
交通機関の利用客は目的地まで快適に移動できることを求める。指定席などの利用で追加料金が発生する場合には殊更であり、交通事業者も座席の居住性に注意を払ってサービスを提供している。また、終点駅での折り返し運行など短時間で座席周りを掃除し元に戻す作業を行う必要があるため、車両内の備品はメンテナンス性の高い構造となっている。
【０００７】
そのため、座席ごとに設置する情報表示装置は既存の車両内の設備（テーブルや肘掛など）と干渉しない構造となっている事が望まれる。
【０００８】
そこで本発明は、これらの問題点に鑑みてなされたもので、交通機関の移動体内の座席の居住性およびメンテナンス性を損なうことなく、利用者にとって扱いやすい形態の情報表示装置を提供することを課題とする。
【課題を解決するための手段】
【０００９】
本発明において上記の課題を解決するために、請求項１に係る発明では、移動体内に設置された座席と、支柱を介して固定されたテーブルであり、座席と支柱および支柱とテーブルの天板の接合部にヒンジ機構を有する事で格納及び展開が可能なテーブルにおいて、展開時に床面と対向する天板の裏面に電気的に表示内容を書き換える事が可能な情報表示機を有し、テーブル格納時に情報表示機の画面が該テーブルの格納された座席の後ろの座
席に座った移動体利用者に対向することで、移動体利用者に対して画像情報を提供する事を可能とした、移動体内に設置された情報表示機付き格納及び展開が可能なテーブルとしたものである。
【００１０】
また請求項２に係る発明では、移動体内に設置された座席と、支柱を介して固定されたテーブルであり、座席と支柱および支柱とテーブルの天板の接合部にヒンジ機構を有する事で格納及び展開が可能なテーブルにおいて、展開時に床面と対向する天板の裏面に電気的に表示内容を書き換える事が可能な情報表示機を有し、前記天板が前記情報表示機の筐体を嵌め込むことができる段差を有し、前記天板の前記情報表示機の筐体と接する段差部の側面と前記情報表示機の筐体の側面とをヒンジ機構によって接合した事により、テーブル展開時に前記筐体の側面のヒンジ機構を回転軸として前記情報表示機の筐体を回転展開し、該テーブルの固定された座席の後ろの座席に座った移動体利用者に前記情報表示機の画面を対向することで、移動体利用者に対して画像情報を提供する事を可能とした、移動体内に設置された情報表示機付き格納及び展開が可能なテーブルとしたものである。
【００１１】
また請求項３に係る発明では、移動体内に設置された座席と、支柱を介して固定されたテーブルであり、座席と支柱および支柱とテーブルの天板の接合部にヒンジ機構を有する事で格納及び展開が可能なテーブルにおいて、前記天板が前記情報表示機の筐体を格納できる窪みを有し、前記天板の前記情報表示機の筐体と接する窪みの側面と前記情報表示機の筐体の側面とをスライド機構とヒンジ機構によって接合した事により、テーブル展開時に天板内から前記筐体を引き出し回転展開する事で、該テーブルの固定された座席の後ろの座席に座った移動体利用者に前記情報表示機の画面を対向させ、テーブルの物載機能を保持したまま移動体利用者に対して画像情報を提供する事を可能とした、移動体内に設置された情報表示機付き格納及び展開が可能なテーブルとしたものである。
【００１２】
また請求項４に係る発明では、前記情報表示機が電気泳動表示体による反射型表示装置である事を特徴とする請求項１から３のいずれかに記載の移動体内に設置された情報表示機付き格納及び展開が可能なテーブルとしたものである。
【００１３】
また請求項５に係る発明では、前記電気泳動表示体がマイクロカプセル型電気泳動表示体である事を特徴とする請求項４に記載の移動体内に設置された情報表示機付き格納及び展開が可能なテーブルとしたものである。
【００１４】
また請求項６に係る発明では、前記情報表示機が反射型液晶表示体による反射型表示装置である事を特徴とする請求項１から３のいずれかに記載の移動体内に設置された情報表示機付き格納及び展開が可能なテーブルとしたものである。
【発明の効果】
【００１５】
本発明は、以上の構成を備えるため、交通機関の移動体内の座席ごとに設置された格納及び展開が可能なテーブルとしても機能するので、情報表示装置を座席ごとに設置する際に座席周りの既存の設備（テーブルや肘掛など）と干渉することが無く、座席の居住性およびメンテナンス性を損なうことなく、利用者にとって扱いやすい形態の情報表示装置を提供する事ができる。
【図面の簡単な説明】
【００１６】
【図１】本発明の情報表示機付き格納及び展開が可能なテーブルの第一の実施形態においてテーブル格納状態を示す斜視図。
【図２】本発明の情報表示機付き格納及び展開が可能なテーブルの第一の実施形態においてテーブル展開状態を示す斜視図。
【図３】本発明の情報表示機付き格納及び展開が可能なテーブルの情報表示機の構成を示すブロック図。
【図４】本発明の情報表示機付き格納及び展開が可能なテーブルの第二の実施形態において情報表示機の展開状態を示す斜視図。
【図５】本発明の情報表示機付き格納及び展開が可能なテーブルの第二の実施形態において情報表示機の格納又は展開状態を示す側面図。
【図６】本発明の情報表示機付き格納及び展開が可能なテーブルの第三の実施形態において情報表示機の展開状態を示す斜視図。
【図７】本発明の情報表示機付き格納及び展開が可能なテーブルの第三の実施形態において情報表示機の格納状態を示す平面透視図。
【図８】本発明の情報表示機付き格納及び展開が可能なテーブルの第三の実施形態において情報表示機の展開状態を示す平面透視図。
【図９】本発明の情報表示機付き格納及び展開が可能なテーブルの第三の実施形態においてガイドレールと筐体の接合部分を示す斜視図。
【図１０】本発明の情報表示機付き格納及び展開が可能なテーブルの第三の実施形態においてガイドレールと筐体の接合部分を示す側面図。
【発明を実施するための形態】
【００１７】
以下、本発明の幾つかの実施形態を図面を用いて詳細に説明する。本発明の第一の実施形態に係る移動体内に設置された情報表示機付き格納及び展開が可能なテーブルについて、図１では移動体の座席背面部に格納された状態を、図２では座席背面部から展開してテーブル状になった状態を示す斜視図である。
【００１８】
本発明のいずれの実施形態のテーブルも、移動体内に設置された座席１と、支柱４を介して固定されたテーブルであり、座席１と支柱４および支柱４とテーブルの天板２の接合部にヒンジ機構を有する事で格納及び展開が可能なテーブルである。
【００１９】
そして、本発明の第一の実施形態のテーブルでは、情報表示機の筐体５をテーブルの天板２と一体化し、画面３をテーブルの天板２裏面に設置したことにより、テーブルを座席１背面に格納した際にテーブルの天板２裏面、すなわち情報表示機の画面３が座席利用者に対面することとなり、画像情報を利用者に提供する事ができる。そのため、情報表示機としての機能が追加されても座席１周りの既存の設備（テーブルや肘掛など）と干渉することなく、情報を利用者に提供する事ができる。
【００２０】
図３は情報表示機の構成を示すブロック図で、情報表示機は画面３とタッチパネルや赤外線センサーやボタンなどの操作機６と通信機７と制御機８とメモリー１２とバッテリー９などからなり、バッテリー９には外部電源線１０が接続されており外部電源１１からの電力供給により逐次充電ができるようになっている。画面３には電気泳動表示体、反射型液晶表示体などの薄型表示装置が用いられ、好ましくは電気泳動表示体が用いられる。
【００２１】
図４は本発明の第二の実施形態において情報表示機の展開状態を示す斜視図であり、図
５は本発明の第二の実施形態の情報表示機の筐体をテーブル天板２の窪みに格納又は展開した状態を示す側面図である。
【００２２】
図４および図５に示すように、移動体内に設置された格納及び展開が可能なテーブルの天板２に情報表示機の筐体５をはめ込むことができる段差がある。この段差の内側側面の利用者に近い側には情報表示機の筐体５の側面と接合されたヒンジ機構１４があり、このヒンジ機構１４によって軸支された情報表示機の筐体５はテーブルの天板２から起こすことができるようになっている。これにより、座席利用者の手元に情報表示機を近づけることができ利用者による情報表示機の操作が容易となっている。また、テーブルの物載面の利用者から遠い側にはスライドロック機構１３があり、テーブルとして使用する際に意図せず情報表示機の筐体５が天板２から起き上がらないように固定できる。また、テーブルの天板２の段差には情報表示機の筐体５をはめ込んだ際に裏面から画面３が見えるように開口部１５があり、テーブルを座席１背面に格納した際にこの開口部１５より情報表示機の画面３が見えるようになっている。なお、この開口部１５には透明な樹脂板やガラス板を設置しても良い。
【００２３】
図６は本発明の第三の実施形態において情報表示機の展開状態を示す斜視図である。移動体内に設置された格納及び展開が可能な天板２内に情報表示機の筐体５をスライド格納することができる窪みがあり、情報表示機の筐体５を引き出して使用することにより、テーブルの物載面を使用しながら情報表示機も使用できるようになっている。この構成を図面を用いてより詳細に説明する。
【００２４】
図７および図８は本発明の第三の実施形態における、移動体内に設置された格納及び展開が可能なテーブルの天板の物載面から見た平面透視図で、図７は天板内に情報表示機の筐体を格納した状態を、図８は天板内から情報表示機の筐体を引き出した状態を示す。
【００２５】
移動体内に設置された格納及び展開が可能なテーブルの天板２に情報表示機の筐体５をスライド格納することができる窪みがある。この窪みの両側面にはガイドレール１６Ａおよび１６Ｂがあり固定されている。また、ガイドレール１６Ａおよび１６Ｂそれぞれにはガイドレール１７Ａおよび１７Ｂが嵌合されており、このガイドレール１７Ａおよび１７Ｂのテーブル天板２の窪みの外側に近い終端にはスライダ１８Ａおよび１８Ｂが接続してあり、このスライダ１８Ａおよび１８Ｂはそれぞれ筐体５の側面に設けた滑り溝１９Ａおよび１９Ｂ内にある。以上のガイドレールの構成によってテーブルの天板２の窪みから筐体５を水平に引き出すことができる。
【００２６】
テーブル天板２内の最奥部には一対の弾性体２０とラッチ機構２１が設けてあり、このラッチ機構２１は一度押し込むと固定され、引き出す際には再度押し込むことでラッチ２２を開放する仕組みとなっている。情報表示機の筐体５をテーブル天板２内に格納すると筐体５の奥面にある弾性体２０が圧縮された状態でラッチ機構２１によって固定される。筐体を引き出す際にラッチ機構２１が開放すると弾性体２０の復元力によって筐体５が押し出される。
【００２７】
情報表示機の筐体５を引き出すと筐体５の側面に設けた滑り溝１９Ａおよび１９Ｂの終端までスライダ１８Ａおよび１８Ｂが移動する間は筐体５のみが引き出され、スライダが滑り溝の終端に達すると、ガイドレール１７Ａおよび１７Ｂが筐体５とともに引き出される。テーブル天板２の窪みから筐体５が全て引き出されると、ガイドレール１７Ａおよび１７Ｂの終端がテーブル天板２の窪みから外に飛び出し、スライダ１８Ａおよび１８Ｂを回転軸として筐体５を回転起立させる事ができる。
【００２８】
このスライド機構について図をもって詳細に説明する。図９は本発明の第三の実施形態
における、移動体内に設置された格納及び展開が可能なテーブルのガイドレールと筐体の接続部分を示す斜視図であり、図１０はガイドレールと筐体の接続部分を示す側面図である。ガイドレール１７Ａの終端には扇形の開口２６のあるガイド板２３があり、このガイド板２３には扇形の開口２６を回転移動するストッパー２４がある。筐体５側面には滑り溝１９Ａがあり、滑り溝１９Ａ内にはスライダ１８Ａがある。このスライダ１８Ａは滑り溝１９Ａ内を摺動する。このスライダ１８Ａとストッパー２４がナット２５によって固定されることでガイドレール１７Ａと筐体５が接続されている。そのため、筐体５の回転角度がガイド板２３の扇形の開口２６によって規定され、その角度は水平から１００度となっている。
【００２９】
次に請求項４に記載の発明について説明する。請求項４に記載の発明は前記移動体内に設置された情報表示機付き格納及び展開が可能なテーブルの情報表示機の画面に電気泳動表示体による反射型表示装置を用いたものである。本発明の移動体内に設置された情報表示機付き格納及び展開が可能なテーブルは鉄道などの車両内に設置されるため天井灯などの明かりがあり、画面を電気泳動表示体による反射型表示装置とすることで消費電力を低減することができる。
【００３０】
次に請求項５に記載の発明について説明する。請求項５に記載の発明は前記移動体内に設置された情報表示機付き格納及び展開が可能なテーブルの情報表示機の画面の電気泳動表示体による反射型表示装置として、マイクロカプセル型電気泳動表示体を用いたものである。マイクロカプセル型電気泳動表示体を用いる事で、電力を供給しなくとも画像を保持する事ができる。また、カラーフィルタを用いてカラー表示にすることも可能である。
【００３１】
次に請求項６に記載の発明について説明する。請求項６に記載の発明は前記移動体内に設置された情報表示機付き格納及び展開が可能なテーブルの情報表示機の画面に反射型液晶表示体を用いたものである。反射型液晶表示体を用いる場合、画像の表示には電力を供給し続けなければならないが、表示を高速に切り替える事ができるため動画などを表示する事もできる。また、カラーフィルタを用いてカラー表示にすることも可能である。
【符号の説明】
【００３２】
１…移動体内に設置された座席
２…情報表示機付きテーブルの天板
３…画面
４…支柱
５…筐体
６…操作機
７…通信機
８…制御機
９…バッテリー
１０…外部電源線
１１…外部電源
１２…メモリー
１３…スライドロック機構
１４…ヒンジ機構
１５…開口部
１６、１７…ガイドレール
１８…スライダ
１９…滑り溝
２０…弾性体
２１…ラッチ機構
２２…ラッチ
２３…ガイド板
２４…ストッパー、
２５…ナット
２６…扇形の開口
【図１】
2014172557.tif 000003
【図２】
2014172557.tif 000004
【図３】
2014172557.tif 000005
【図４】
2014172557.tif 000006
【図５】
2014172557.tif 000007
【図６】
2014172557.tif 000008
【図７】
2014172557.tif 000009
【図８】
2014172557.tif 000010
【図９】
2014172557.tif 000011
【図１０】
2014172557.tif 000012